(57)【要約】【課題】  ストレージ機能による蓄積画像に管理情報として付加する蓄積時刻をサマータイム対応にする。【解決手段】  管理テーブルの時刻フィールドに標準時刻と夏時刻各々の記憶領域を設け、画像蓄積が標準時間帯、夏時間帯の何れであるかによって各々の記憶領域にデータを書き込む。蓄積画像の管理情報を用いて一覧画面を表示する場合、管理テーブルに書かれている先頭の文書から順に文書名、年月日、ページ数をテーブルから引き出し、画面表示を行わせる。蓄積時刻の表示は、その文書の年月日データから標準時間帯に蓄積されたものか、否かを調べ（Ｓ２０５）、それぞれ標準時刻或いは夏時刻のフィールドからデータを引き出して表示する。後者では明示的に“Summer”などの表示を付加しても良い。蓄積画像の閲覧情報として蓄積時刻を表示する場合に正確な情報をユーザへ伝達でき、ユーザを誤らせることをなくす。【選択図】          図９
2005202548.tif 000002
【特許請求の範囲】
【請求項１】
入力した画像を蓄積し、蓄積した画像の管理情報を閲覧可能とした画像処理装置であって、時計と、前記入力画像の管理情報として該画像の蓄積時に時計が指す時刻をもとに得た標準時刻およびオフセット時刻を各々のフィールドで記憶可能とした管理情報記憶手段と、前記入力画像の蓄積時が標準時間帯かオフセット時間帯かを判断する手段と、入力画像の蓄積時が標準時間帯かオフセット時間帯かの判断に従って管理情報の閲覧の際に表示に用いる蓄積時刻を前記管理情報記憶手段の対応する記憶フィールドから取り出す手段と、取り出した時刻を閲覧データとして表示する手段を備えたことを特徴とする画像処理装置。
【請求項２】
入力した画像を蓄積し、蓄積した画像の管理情報を閲覧可能とした画像処理装置であって、時計と、前記入力画像の管理情報として画像蓄積時に時計が指す標準時刻を記憶可能とした管理情報記憶手段と、前記入力画像の蓄積時が標準時間帯かオフセット時間帯かを判断する手段と、オフセット時間帯であると判断された場合に管理情報の閲覧時に表示に用いる蓄積時刻を得るために前記管理情報記憶手段に記憶した標準時刻からオフセット時刻を算出するオフセット時刻計算手段と、算出したオフセット時刻を閲覧データとして表示する手段を備えたことを特徴とする画像処理装置。
【請求項３】
請求項1又は２に記載された画像処理装置において、オフセット時刻を閲覧データとして表示する際にオフセット時刻である旨の表示を付加する手段を備えたことを特徴とする画像処理装置。
【請求項４】
画像処理装置が有するコンピュータに、入力画像を蓄積する手順と、入力画像の管理情報として画像蓄積時に時計が指す時刻をもとに標準時刻およびオフセット時刻を得る手順と、得た標準時刻およびオフセット時刻を管理情報記憶部における各々のフィールドに記憶する手順と、入力画像の蓄積時が標準時間帯かオフセット時間帯かを判断する手順と、入力画像の蓄積時が標準時間帯かオフセット時間帯かの判断に従って管理情報の閲覧の際に表示に用いる蓄積時刻を管理情報記憶部の対応する記憶フィールドから取り出す手順と、取り出した時刻を閲覧データとして出力する手順を実行させるためのプログラム。
【請求項５】
画像処理装置が有するコンピュータに、入力画像を蓄積する手順と、入力画像の管理情報として画像蓄積時に時計が指す標準時刻を得る手順と、得た標準時刻を管理情報記憶部に記憶する手順と、入力画像の蓄積時が標準時間帯かオフセット時間帯かを判断する手順と、オフセット時間帯であると判断された場合に管理情報の閲覧の際に表示に用いる蓄積時刻を得るために管理情報記憶部に記憶した標準時刻からオフセット時刻を計算する手順と、算出したオフセット時刻を閲覧データとして出力する手順を実行させるためのプログラム。
【発明の詳細な説明】
【技術分野】
【０００１】
本発明は、入力画像データを蓄積し、蓄積データを印刷、表示出力等に利用可能とする画像ストレージ機能を有する画像処理装置（例えば、デジタル複写機等の画像形成装置、ファイルサーバ）に関し、蓄積時刻を管理情報として画像データに付加し、閲覧時に蓄積時刻をサマータイムのようなオフセット時刻で表示可能とした前記画像処理装置及び該蓄積時刻を処理するためのプログラムに関する。
【背景技術】
【０００２】
従来から、いわゆるサマータイム制と称して、日の出の早い夏には時間を進めて、活動時間を太陽の動きに合わせる制度を欧米諸国では採用しており、近年、省エネルギーという観点でも、世界的な議論になっている。
複写機、ファクシミリ等のＯＡ機器では、従来から、サマータイム制の採用への対応策として、時刻に関する制御を行うために設定された時刻を再設定したり、機器に内蔵する時計の時刻を調整する方法によって、サマータイム制のもとでも利便性が保証できるようにする手段がとられている。
こうした従来技術を示す例として、下記特許文献１，２を挙げることができる。
特許文献１は、設定した時刻で装置をON／OFFさせるタイマー機能の設定時刻を標準時間帯と夏時間帯の切り替わりの際に、両時間帯の時間差をもとに自動的に追従させるように制御するものである。この場合、タイマー機能の設定時刻を標準、夏の各時間帯に追従して変更することによっているので、時計の調整は無用である。
また、特許文献２は、サマータイムへの切り替え時に内部時計の時間調整を行うサマータイム機能を備えたファクシミリ装置であり、ユーザによりサマータイム切替日時の設定ができるようにして、サマータイム機能の存在をユーザに認識させるとともに、適正な設定を行うことを可能にするものである。
【０００３】
ところで、入力した文書画像等の様々な画像情報を印刷、表示出力等に利用可能な電子データとして処理する機能を持つ画像処理装置は、近年、高機能化が進み、デジタル複写機（複合機）を例にとっても、複写機能自体の処理モードの多様化に加え、複合機能としてプリンタ機能、ＦＡＸ機能、スキャナ配信等の配信機能などを備えている。
このような多様な機能を実現するために不可欠な要素として、スキャナ入力やホスト装置から文書・画像作成アプリケーションによって作られ入力される画像等、各種のパスを通して入力される画像を容量の大きな記憶手段（例えばＨＤＤ等）に蓄積して、必要に応じて蓄積画像を利用することを可能にする、いわゆるストレージ機能がある。
このストレージ機能では、単に画像データを蓄積するだけではなく、蓄積した中から必要なデータを取り出して利用することを可能にするので、そのために管理情報としてファイル名やデータ量（例えばページ数）のほか、蓄積年月日、時刻などを画像データに関連付けて記録し、使用時に閲覧するといった管理方法によっている。
【特許文献１】特開2001-318174号公報
【特許文献２】特開2002-40177号公報
【発明の開示】
【発明が解決しようとする課題】
【０００４】
このように、ストレージ機能において蓄積する画像データには、管理情報として時刻を付加し、操作パネルやＰＣ画面に閲覧情報として表示することができるようにしている。
しかしながら、サマータイムが採用されている場合に、ストレージ機能において蓄積画像に管理情報として付加する時刻は、従来、サマータイムを考慮することが無く、サマータイム調整をしない標準時刻のみを用いるのが通常の方法であった。このために、正しい情報が伝わらずにユーザを誤らせることがあった。
本発明は、上記した従来技術における問題に鑑み、これを解決するためになされたもので、その解決課題は、ストレージ機能において蓄積する画像に管理情報として付加する蓄積時刻にサマータイムのようなオフセット時刻を考慮した対応を可能にして、蓄積画像の閲覧情報として蓄積時刻を表示する場合にも正確な情報をユーザへ伝達するようにして、ユーザを誤らせるという不具合を起こさないようにすることにある。
【課題を解決するための手段】
【０００５】
請求項１の発明は、入力した画像を蓄積し、蓄積した画像の管理情報を閲覧可能とした画像処理装置であって、時計と、前記入力画像の管理情報として該画像の蓄積時に時計が指す時刻をもとに得た標準時刻およびオフセット時刻を各々のフィールドで記憶可能とした管理情報記憶手段と、前記入力画像の蓄積時が標準時間帯かオフセット時間帯かを判断する手段と、入力画像の蓄積時が標準時間帯かオフセット時間帯かの判断に従って管理情報の閲覧の際に表示に用いる蓄積時刻を前記管理情報記憶手段の対応する記憶フィールドから取り出す手段と、取り出した時刻を閲覧データとして表示する手段を備えたことを特徴とする画像処理装置である。
請求項２の発明は、入力した画像を蓄積し、蓄積した画像の管理情報を閲覧可能とした画像処理装置であって、時計と、前記入力画像の管理情報として画像蓄積時に時計が指す標準時刻を記憶可能とした管理情報記憶手段と、前記入力画像の蓄積時が標準時間帯かオフセット時間帯かを判断する手段と、オフセット時間帯であると判断された場合に管理情報の閲覧時に表示に用いる蓄積時刻を得るために前記管理情報記憶手段に記憶した標準時刻からオフセット時刻を算出するオフセット時刻計算手段と、算出したオフセット時刻を閲覧データとして表示する手段を備えたことを特徴とする画像処理装置である。
請求項３の発明は、請求項1又は２に記載された画像処理装置において、オフセット時刻を閲覧データとして表示する際にオフセット時刻である旨の表示を付加する手段を備えたことを特徴とするものである。
【０００６】
請求項４の発明は、画像処理装置が有するコンピュータに、入力画像を蓄積する手順と、入力画像の管理情報として画像蓄積時に時計が指す時刻をもとに標準時刻およびオフセット時刻を得る手順と、得た標準時刻およびオフセット時刻を管理情報記憶部における各々のフィールドに記憶する手順と、入力画像の蓄積時が標準時間帯かオフセット時間帯かを判断する手順と、入力画像の蓄積時が標準時間帯かオフセット時間帯かの判断に従って管理情報の閲覧の際に表示に用いる蓄積時刻を管理情報記憶部の対応する記憶フィールドから取り出す手順と、取り出した時刻を閲覧データとして出力する手順を実行させるためのプログラムである。
請求項５の発明は、画像処理装置が有するコンピュータに、入力画像を蓄積する手順と、入力画像の管理情報として画像蓄積時に時計が指す標準時刻を得る手順と、得た標準時刻を管理情報記憶部に記憶する手順と、入力画像の蓄積時が標準時間帯かオフセット時間帯かを判断する手順と、オフセット時間帯であると判断された場合に管理情報の閲覧の際に表示に用いる蓄積時刻を得るために管理情報記憶部に記憶した標準時刻からオフセット時刻を計算する手順と、算出したオフセット時刻を閲覧データとして出力する手順を実行させるためのプログラムである。
【発明の効果】
【０００７】
請求項１，４の発明によると、ストレージ機能において蓄積する画像の管理情報として蓄積時刻を標準時刻、オフセット時刻（サマータイム）各々のフィールドで記憶可能とし、蓄積画像の管理情報を閲覧する際に蓄積時が標準時間帯かオフセット時間帯かによって各々の記憶フィールドから蓄積時刻データを取り出して表示するようにしたので、蓄積時刻を忠実にユーザーに伝えることが可能になり、ユーザを誤らせるという不具合を起こすこともない。
また、請求項２，５の発明によると、ストレージ機能において蓄積する画像の管理情報として蓄積時刻を標準時刻で記憶可能とし、蓄積画像の管理情報を閲覧する際に蓄積時が動作を標準時間帯かオフセット時間帯かによって標準時刻からオフセット時刻を計算するようにしたので、蓄積時刻を忠実にユーザーに伝えることが可能になり、ユーザを誤らせるという不具合を起こすこともない。また、標準時刻のみを記憶するので、オフセット時刻も記憶する場合に比べ、メモリ消費量を増やすことなく、コストダウンが図れる。
また、請求項３の発明によると、閲覧画面における蓄積時刻の表示において、標準時間帯とオフセット時間帯とが混在表示された場合であっても、オフセット時間帯での時刻表示であることを“Summer”などの表示を付加することによって、明示的に把握することができるので、誤認することなく、使い勝手を向上させることができる。
【発明を実施するための最良の形態】
【０００８】
本発明を添付する図面とともに示す以下の実施形態に基づき説明する。ここで示す実施形態は、本発明の画像処理装置をデジタル複写機に適用した例を示す。本例のデジタル複写機は、スキャナ入力された画像データから記録媒体に複写画像を形成するという基本的な複写機の機能をデジタル処理により実現する、というデジタル複写機において一般化した、即ち公知の構成を備えたものであることを前提としている。従って、本発明に特有の構成に関する部分以外の、公知のデジタル複写機が一般的に備える構成部分については、記載を省略する。
図１は、本実施形態のデジタル複写機における制御部の概略構成を示すブロック図である。
図1中に太線で記した矢印は画像データの流れを示すが、この流れに示すように、本実施形態のデジタル複写機における制御部では、複写機能の利用時にスキャナによる原稿読み取りからＬＤによる像担持体へのレーザ書き込みまでの一連の動作及びスキャナ入力された画像データの蓄積と蓄積データを用いた出力動作を行う。そのために、ＣＣＤ1、読み取り制御部２、画像処理部３、書き込み制御部４、ＬＤ５、印字制御部６、ＨＤＤ（ハードディスク）８、ＣＰＵ１２及び時計ＩＣ１８等を備える。
図１を参照し、本制御部の動作を、原稿の読み取り、読み取った画像データの処理、処理後のデータによる画像書き込み、という複写機能利用時の動作を中心にフローに沿って、以下に説明する。
【０００９】
スキャナ（図示せず）のコンタクトガラス上にセットされた紙原稿はＣＣＤ１にて読み取られ、読み取り制御部２に送られる。読み取り制御部２ではＡ／Ｄ変換等が行われる。読み取り制御部２からの画像データは画像処理部３、書き込み制御部４へと流れ、ＬＤ５の駆動信号として出力される。このレーザ書き込みによって、原稿の画像データをもとに感光体ドラム（図示せず）上へ、帯電処理とあわせ、静電潜像がつくられ、その後一般化した電子写真プロセスである、トナーによる現像、定着によって可視化像を記録媒体に形成する。
画像処理部３は、印刷出力に用いる画像データの各種の処理を行うほか、ＨＤＤ８と繋がり、スキャン画像の蓄積と蓄積データを用いた出力処理を行う。なお、この蓄積データの処理動作は、複写機能の利用時における動作から独立に、蓄積画像を再印刷や閲覧に利用するために管理するいわゆるストレージ機能として実現可能な構成になっている。
印字制御部６は、スタンプモードのときに、原稿画像の出力に印字ＲＡＭ７に格納されているパターン画像データを合成した画像を書き込み制御部４へ流すように動作する。
上記した動作全体を制御するのがＣＰＵ１２で、ＲＯＭ９に格納されたプログラムにより動作する。ＲＡＭ１０はプログラム実行用のワークメモリである。また、読み取り制御部２、画像処理部３、書き込み制御部４、印字制御部６および後述のＬＣＤ制御部１４とＣＰＵ１２とはアドレスバス、データバスで接続されている。
【００１０】
ＲＯＭ９にはプログラムのほかにも、操作部表示用の言語データ（文字フォント、テキスト、アイコン用ビットマップデータ）やスタンプ印字画像用ビットマップデータが格納されている。
不揮発ＲＡＭ１１は、電源が遮断されても記憶しておく必要のある各制御部の動作条件等の設定内容や機械状態等の各種の管理情報を記憶する。
ＣＰＵ１２は、搭載している時計ＩＣ１８のカウンタをリードすることにより、年月日時分秒のデータ得る。
ＬＣＤモジュール１５は操作部上に配置され、ユーザによるダイアログ方式の入力操作を可能にするために、ＣＰＵ１２がＬＣＤ制御部１４を介してＶＲＡＭ１３に展開したビットマップを表示し、ＬＣＤモジュールのタッチパネルにおける操作を検出する。
図２は、ＬＣＤモジュール１５を備えた操作部の外観を示したものである。
中央にはＬＣＤモジュール１５の表示部があり、入力操作のガイダンスやモード設定に使用する選択キー等が表示される。ＬＣＤ表示部にはタッチパネルシート（図示せず）等が重ねられ、タッチパネルを介してモード選択等の入力操作を可能とする。また、キースイッチとして、テンキー２２、リセットキー２３、スタートキー２４、Ｃ／Ｓ（クリア／ストップ）キー２５、初期設定キー２７、言語切り換えキー２８、コピーキー２９、プリンターキー３０、ＦＡＸキー３１を備えており、図１に示すように、これらのキー１７は、入力ポート１６を介してＣＰＵ１２が押下状態を検出する。
【００１１】
本実施形態では、ＨＤＤ８への蓄積画像データに時間データを管理情報として付加するので、その関連要素としての、時間データ、タイマー機能の設定及び蓄積画像の管理情報について次に説明する。
図３は、時計ＩＣ１８が発生する時間データを説明する図である。同図には、時計ＩＣ１８のカウンタ値としてメモリに保持されるカウンタ内容について、アドレス、カウンタ内容、及びカウント値を対応付けて示したものである。４ｂｉｔで示される各アドレスには、予め決められた単位の時間データが格納されており、各アドレスのデータをリードし、得たカウント値を合成することにより、年月日時分秒までの時刻を表すデータを得ることが可能となる。
図４は、オペレータや管理者の使い勝手に合わせて、装置の動作条件や機械を管理するためのデータを初期設定する動作モードにおいて表示する画面を例示するものである。図４の（Ａ）に示す画面は、操作部における初期設定キー２７（図２）を押すことにより表示され、図４の（Ａ）に示すような各種設定項目が選択可能となる。この例では、１０項目の設定を選択して実行可能としており、その中の[９]タイマー機能設定のキー４２を選択すると、画面は図４の（Ｂ）に示すようなタイマー機能に関する設定画面に遷移する。この画面では、ＯＮ時刻、ＯＦＦ時刻をそれぞれのダイアログボックス２４，２５に時刻を入力することにより、又サマータイムへの対応をするか、しないかをそれぞれのキー４７，４８を操作することにより設定が行える。なお、タイマー機能とは設定した時刻になると装置を自動的にＯＮ／ＯＦＦする機能であり、サマータイムへの対応をする場合には、標準時で設定した時刻をサマータイムの時刻にシフトしてタイマーを働かせる。ただし、ここでいう装置のＯＦＦは、一部、例えば制御部の電源は供給し続ける状態での電源ＯＦＦを意味する。
【００１２】
また、スキャナ入力した原稿（文書）画像をストレージ機能によりＨＤＤ８に蓄積、管理し、再印刷や閲覧に利用する場合に、蓄積画像情報を一覧することができるようにしている。
図５は、ストレージ機能により蓄積されている画像情報の一覧表示を例示するものである。画面左には、全文書表示のためのキー５１、文書名検索への入口キー５２、原稿読み取りモードへの入口キー５３、印刷条件モードへの入口キー５４などが配置されている。また、画面中央には蓄積画像情報のリストが表示されており、各蓄積画像の文書名、蓄積年月日、蓄積時刻、蓄積ページ枚数などが閲覧可能である。
リストの各文書情報表示ボックスは選択キー５９となっており、キー操作により表示を変化させて（例えば、白黒の反転等）選択された文書を確認して、詳細キー５５を操作することにより詳細情報画面へ遷移する。また、１画面でリストが納まらない場合は、“2/4”などのページ位置情報５６を表示するとともに、ページめくりキー５７，５８を合わせて表示して、前後画面への切替を可能とする。
図６はＨＤＤに格納する蓄積画像（文書）の管理情報の構成を例示したものである。蓄積画像を格納するＨＤＤ８の管理領域の先頭には、蓄積文書の総数が、続いて各蓄積文書ごとの情報テーブルが文書１，文書２，・・，文書ｎのように順に並ぶ。また、各蓄積文書の情報テーブルには、各文書の画像データが格納されているハードディスクの場所（アドレス）情報があり、この情報テーブルをもとに文書の画像データが辿れる構成となっている。
【００１３】
上記したＨＤＤ８に蓄積した画像（文書）情報の一覧画面（図５）を表示する際の動作を説明する。
図７は、一覧画面（図５）を表示するときの動作フローを示す図である。
このフローは、ＣＰＵ１２によって実行される動作であり、ＨＤＤ８に蓄積した画像（文書）の管理テーブル（図６）から情報を引き出し、ＬＣＤモジュール１５の画面にこの情報を表示させる動作を行わせるものである。
図７を参照すると、先ず、管理テーブルに書かれている先頭の文書から、一覧画面表示で表示する文書番号を順次調べていき（ステップＳ１０１）、該当する文書がある場合は（ステップＳ１０２-YES）、文書情報として記されている文書名、年月日、時刻、ページ数を順に管理テーブルから引き出し、それぞれステップＳ１０３〜Ｓ１０６としてＬＣＤモジュール１５に画面表示を行わせる。
上記の動作を蓄積されている全文書について行うので、該当文書が無くなったことを確認し（ステップＳ１０２-NO）、確認したところで処理を終了する。
【００１４】
上記では、蓄積時刻を管理情報として画像データに付加し、閲覧時に蓄積時刻を表示することを可能にするための基本的な手段を示した。次に、蓄積時刻として、標準時刻をシフトさせた時刻（この時刻として、サマータイム：夏時間が良く知られているので、以下では便宜上、シフト時刻をサマータイムという）が採用される場合への対応を可能にする実施形態を示す。
即ち、蓄積時刻をサマータイムに合わせて、蓄積画像の閲覧画面における時刻表示は、標準時間帯（標準時間を用いる期間）に蓄積されたものは標準時刻で、夏時間帯に蓄積されたものはサマータイムで表示することを意図した実施形態を示す。
蓄積時刻をサマータイムに合わせて表示するための実施形態として、以下に「実施形態１」〜「実施形態３」の３つの形態を示す。
【００１５】
「実施形態１」
本実施形態は、閲覧文書一覧に表示する蓄積時刻を標準時間帯、夏時間帯それぞれに合わせた時刻表示をするために、画像（文書）の管理テーブルにおいて時刻を記録するフィールドに標準時刻と夏時刻の記憶領域を設けるようにしたものである。
図８は、本実施形態における、ＨＤＤに格納する蓄積画像（文書）の管理情報の構成を例示したものである。図６に示した同様の管理情報の構成に記された［時刻］データには、標準時刻と夏時刻というカテゴリはなかったが、本実施形態では、管理テーブルの時刻フィールド６１に［時刻：標準］［時刻：夏］の記憶領域を設け、標準時刻と夏時刻それぞれの時刻を保持できる構成としている。文書の蓄積が標準時間帯において行われた場合には、［時刻：標準］の記憶領域にデータを書き込み、他方、文書の蓄積が夏時間帯において行われた場合には、［時刻：夏］の記憶領域にデータを書き込む。
【００１６】
図９は、蓄積画像（文書）の管理情報を用いて一覧画面を表示する本実施形態における動作のフローチャートを示す。
このフローは、ＣＰＵ１２によって実行される動作であり、ＨＤＤ８に蓄積した画像（文書）の管理テーブル（図８）から情報を引き出し、ＬＣＤモジュール１５の画面にこの情報を表示させる動作を行わせるものである。
図９を参照すると、先ず、管理テーブルに書かれている先頭の文書から、一覧画面表示で表示する文書番号を順次調べていき（ステップＳ２０１）、該当する文書がある場合は（ステップＳ２０２-YES）、文書情報として記されている文書名、年月日、ページ数を順に管理テーブルから引き出し、それぞれステップＳ２０３、Ｓ２０４、Ｓ２０８としてＬＣＤモジュール１５に画面表示を行わせる。ただし、文書情報として記されている蓄積時刻の表示の際は、その文書の年月日データから標準時間帯に蓄積されたものか、否かを調べ（ステップＳ２０５）、標準時間帯に蓄積された文書である場合は標準時刻のフィールドからデータを引き出して表示し（ステップＳ２０６）、また、標準時間帯に蓄積された文書でなければ夏時刻のフィールドからデータを引き出して表示する（ステップＳ２０７）。
上記の動作を蓄積されている全文書について行うので、該当文書が無くなったことを確認し（ステップＳ２０２-NO）、確認したところで処理を終了する。
【００１７】
「実施形態２」
本実施形態は、上記実施形態１に改良を加えたもので、閲覧文書一覧に表示する蓄積時刻を標準時間帯、夏時間帯それぞれに合わせた時刻表示をした上に、夏時刻を表示した場合に、明示的に夏時刻であることを知らせるキーワードや記号等を合わせて表示することにより、より正確な情報を利用者に提供するようにしたものである。
図１０は、本実施形態における蓄積画像情報の一覧表示例である。
図１０の表示例は、図５に示した一覧表示例と同様の画面であるが、夏時間帯の蓄積時刻が示されるボックス７１には、時刻を表示するだけでなく、時刻の表示位置のそばに“Summer”など、夏時間であることが分かるキーワードを合わせて表示する。このようにすることにより、明示的に夏時間であることを利用者が認識できるようにしている。
【００１８】
図１１は、蓄積画像（文書）の管理情報を用いて一覧画面を表示する本実施形態の動作フローを示す図である。
このフローは、ＣＰＵ１２によって実行される動作であり、ＨＤＤ８に蓄積した画像（文書）の管理テーブル（図８）から情報を引き出し、ＬＣＤモジュール１５の画面にこの情報を表示させる動作を行わせるものである。
図１１を参照すると、先ず、管理テーブルに書かれている先頭の文書から、一覧画面表示で表示する文書番号を順次調べていき（ステップＳ３０１）、該当する文書がある場合は（ステップＳ３０２-YES）、文書情報として記されている文書名、年月日、ページ数を順に管理テーブルから引き出し、それぞれステップＳ３０３、Ｓ３０４、Ｓ３０９としてＬＣＤモジュール１５に画面表示を行わせる。ただし、文書情報として記されている蓄積時刻の表示の際は、その文書の年月日データから標準時間帯に蓄積されたものか、否かを調べ（ステップＳ３０５）、標準時間帯に蓄積された文書である場合は標準時刻のフィールドからデータを引き出して表示する（ステップＳ３０６）。
他方、標準時間帯に蓄積された文書でなければ夏時刻のフィールドからデータを引き出して表示する（ステップＳ３０７）。この時に、夏時刻のデータを表示するだけではなく、夏時間帯の蓄積時刻が示されるボックス７１の夏時刻を表示する位置のそばに“Summer”などのキーワードの表示を付加する処理を行う（ステップＳ３０８）。
上記の動作を蓄積されている全文書について行うので、該当文書が無くなったことを確認し（ステップＳ３０２-NO）、確認したところで処理を終了する。
【００１９】
「実施形態３」
本実施形態は、閲覧文書一覧に表示する蓄積時刻を標準時間帯、夏時間帯それぞれに合わせた時刻表示をするための方法として、上記実施形態１とは異なる方法を採用するものである。即ち、実施形態１では画像（文書）の管理テーブルにおいて時刻を記録するフィールドに標準時刻と夏時刻の記憶領域を設けるようにしているが、本実施形態では、管理テーブルには標準時刻のみを記録するだけで、夏時間帯である場合には、オフセット計算をして夏時刻として表示する処理を行うようにするものである。したがって、管理情報は、図６に示した構成でよい。
図１２は、蓄積画像（文書）の管理情報を用いて一覧画面を表示する本実施形態の動作フローを示す図である。
このフローは、ＣＰＵ１２によって実行される動作であり、ＨＤＤ８に蓄積した画像（文書）の管理テーブル（図６）から情報を引き出し、ＬＣＤモジュール１５の画面にこの情報を表示させる動作を行わせるものである。ただし、蓄積時刻が夏時間帯である場合には、上記したようにオフセット計算の結果を表示する。
図１２を参照すると、先ず、管理テーブルに書かれている先頭の文書から、一覧画面表示で表示する文書番号を順次調べていき（ステップＳ４０１）、該当する文書がある場合は（ステップＳ４０２-YES）、文書情報として記されている文書名、年月日、ページ数を順に管理テーブルから引き出し、それぞれステップＳ４０３、Ｓ４０４、Ｓ４０９としてＬＣＤモジュール１５に画面表示を行わせる。ただし、文書情報として記されている蓄積時刻の表示の際は、その文書の年月日データから標準時間帯に蓄積されたものか、否かを調べ（ステップＳ４０５）、標準時間帯に蓄積された文書である場合は時刻フィールドからデータを引き出して、その時刻をそのまま表示する（ステップＳ４０６）。
他方、標準時間帯に蓄積された文書でなければ、夏時刻を表示するが、この時に、時刻フィールドに管理情報として記録されているのは標準時刻であるから、夏時刻に変えて表示を行う。このために、標準時刻から所定の時間早めた時刻を計算するオフセット計算をして、夏時刻を算出し（ステップＳ４０７）、算出結果を蓄積時刻として表示する処理を行う（ステップＳ４０８）。
上記の動作を蓄積されている全文書について行うので、該当文書が無くなったことを確認し（ステップＳ４０２-NO）、確認したところで処理を終了する。
なお、本実施形態の上記フローでは、上記実施形態２のように、“Summer”などの表示を付加することにより夏時間であることを明示的に表示する手順を示さなかったが、本実施形態においても、明示的な表示を行う形態で実施しても良い。
【図面の簡単な説明】
【００２０】
【図１】本発明の実施形態に係わるデジタル複写機の制御部の概略構成を示すブロック図である。
【図２】ＬＣＤモジュールを備えた操作部の外観を示す図である。
【図３】時計ＩＣが発生する時間データを説明する図である。
【図４】初期設定の表示画面（Ａ）と、（Ａ）のタイマー機能設定キーの選択により遷移する設定画面（Ｂ）を示す。
【図５】ストレージ機能により蓄積された画像情報の一覧表示を例示する。
【図６】ＨＤＤに格納する蓄積画像（文書）の管理情報の構成を例示する図である。
【図７】蓄積画像（文書）の管理情報を用いた一覧画面の表示動作のフローチャートを示す。
【図８】ＨＤＤに格納する蓄積画像（文書）の管理情報の構成（実施形態１，２）を例示する図である。
【図９】蓄積画像（文書）の管理情報を用いた一覧画面の表示動作のフローチャート（実施形態１）を示す。
【図１０】ストレージ機能により蓄積された画像情報の一覧表示（実施形態２）を例示する。
【図１１】蓄積画像（文書）の管理情報を用いた一覧画面の表示動作のフローチャート（実施形態２）を示す。
【図１２】蓄積画像（文書）の管理情報を用いた一覧画面の表示動作のフローチャート（実施形態３）を示す。
【符号の説明】
【００２１】
１・・ＣＣＤ、                        ２・・読み取り制御部、
３・・画像処理部、                    ４・・書き込み制御部、
５・・ＬＤ、                          ８・・ＨＤＤ、
１１・・不揮発ＲＡＭ、                １２・・ＣＰＵ、
１４・・ＬＣＤ制御部、                １５・・ＬＣＤモジュール、
１７・・キースイッチ、                １８・・時計ＩＣ。
【図１】
2005202548.tif 000003
【図２】
2005202548.tif 000004
【図３】
2005202548.tif 000005
【図４】
2005202548.tif 000006
【図５】
2005202548.tif 000007
【図６】
2005202548.tif 000008
【図７】
2005202548.tif 000009
【図８】
2005202548.tif 000010
【図９】
2005202548.tif 000011
【図１０】
2005202548.tif 000012
【図１１】
2005202548.tif 000013
【図１２】
2005202548.tif 000014